【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
上端または上縁部（１２）を有する少なくとも１つの要素を有する椅子の背（１１）を含む椅子（１）のためのクレードル（１０）において、前記クレードルは、前記クレードルの後部分の上に少なくとも１つのフック手段（１２２）を含み、前記フック手段（１２２）は、前記クレードルが前記椅子の背の要素の上端、上部分、または上縁部の上に掛けられることを可能にし、前記クレードルはさらに、前記椅子の背の上に掛けられていない場合に、床のような基部に単体で立つことが可能であり、両方の場合、乳幼児または小さな子供のためのクレードルまたはシートとして用いられることが可能であることを特徴とする、クレードル。
【請求項２】
前記椅子の背の要素は、１つ以上のクロスレール（３，４，５０３）、側部材（２）、椅子部材、後脚（２２）、または中央のステム（５０２）からなる群から選択され、前記クレードルは、前記椅子の背の要素のうちの１つ以上の上端または上縁部（１２）の上、好ましくは前記椅子の背の要素の実質的に水平な上縁部の上、さらに好ましくはクロスレール（３，４，５０３）の実質的に水平な上縁部の上にフック手段（１２２）により掛けられ得る、請求項１に記載のクレードル。
【請求項３】
前記フック手段（１２２）は、前記椅子の背の要素の上端、上部分、または上縁部の上に嵌合するよう適合されるフェルール（３２３）であり、前記椅子の背の要素は好ましくは、前記側部材（２）、前記椅子の側の上部分、壁、または後脚（２２）のうちの１つ以上から選択される、請求項２に記載のクレードル。
【請求項４】
前記椅子の背の要素の少なくとも１つは下縁部を含み、前記クレードルは、非動作位置から動作位置へと動かされるよう構成される少なくとも１つの移動可能なロック装置（３００，３０９，３１０）を前記クレードルの後部分に含み、前記非動作位置では、前記椅子に対する前記クレードルの移動が制限されず、前記動作位置では、前記ロック装置が、前記椅子の背の要素の少なくとも１つの下縁部に対して、好ましくは前記椅子の背の要素の実質的に水平な下縁部に対して、より好ましくはクロスレール（３，４，５０３）の実質的に水平な下縁部に対して支持して前記クレードルを前記椅子にロックする、請求項１〜３のいずれか１項に記載のクレードル。
【請求項５】
前記ロック装置（３００）は、少なくとも１つの実質的に水平な要素を含み、前記実質的に水平な要素は、前記クレードルに摺動可能に取り付けられ、かつ前記クレードルが椅子の背に掛けられると、動作位置においてクロスレール（３，４）の水平な下縁部に対して支持するように非動作位置から移動可能であり、当該要素は好ましくはバー形状である、請求項４に記載のクレードル。
【請求項６】
前記実質的に水平な要素は、前記クレードルと平行な方向に移動可能である、請求項４に記載のクレードル。
【請求項７】
前記ロック装置（３００）は、前記クレードル上に旋回可能に搭載される少なくとも１つのフックを含み、当該フックは、前記クレードルが椅子の背の上に掛けられると、動作位置においてクロスレール（３，４）の水平な下縁部の周りを把持するよう非動作位置から回転することが可能である、請求項４に記載のクレードル。
【請求項８】
前記ロック装置は、摺動可能および旋回可能なロック装置の形態にあるロック装置の組合せを含む、請求項５〜７のいずれか１項に記載のクレードル。
【請求項９】
前記ロック装置（３００）は、非動作位置から前記クレードルを前記椅子にロックする
ための動作位置にロック装置を動かすためにばね荷重が加えられ、代替的またはこれに加えて、前記ロック装置は、ボタンまたはレバーによって動作可能であり、好ましくは前記クレードルの外側上にて手が届き、代替的には前記クレードルの外側上のハンドルに統合され、代替的には前記クレードルの前記外側において凹部の形態にある前記ハンドルに統合される、請求項４〜８のいずれか１項に記載のクレードル。
【請求項１０】
前記クレードルは、前記クレードルが前記椅子に正しく搭載されているかどうかを示す表示パネルを好ましくは各ロック装置ごとに含み、好ましくは前記表示パネルは、可視パネルにより、前記ロック装置が非ロック位置において非動作である際には赤いマーカを表示し、前記ロック装置が動作ロック位置にある際には緑を表示する、請求項４〜９のいずれか１項に記載のクレードル。
【請求項１１】
前記ロック装置は、非動作位置にある際には、前記クレードルの中に収納され得る、請求項４〜１０のいずれか１項に記載のクレードル。
【請求項１２】
前記ロック装置は、前記クレードルの側部材（１２０）、後壁部材（１４０）、もしくはフック手段（１２２）、またはこれらの部分の組合せ、好ましくはこれらの部分の下部に位置決めされる、請求項４〜１１のいずれか１項に記載のクレードル。
【請求項１３】
前記クレードルの底部は、前記クレードルが基部上に立つ際に揺動されることが可能となるよう前記基部に向かって長手方向に凹状であり、好ましくは前記側部材（１２０）は、側部材を揺り子として用いることを可能にする凹状下縁部（１２５）を有し、好ましくは前記側部材の下側は、部分的に設けられたゴムストリップのような摩擦コーティングを含む、請求項１〜１２のいずれか１項に記載のクレードル。
【請求項１４】
自身の動作位置にある前記ロック装置（３００）は、前記クレードルが椅子に搭載されない際には、基部に対する脚部として機能し、好ましくは前記ロック装置が非動作の場合よりも、前記クレードルを前記基部に向かって急な角度で位置決めする、請求項４〜１３のいずれか１項に記載のクレードル。
【請求項１５】
前記クレードルは、前記クレードルが椅子に搭載されない際に基部に対して支持を提供するよう、前記クレードル内または前記クレードルから回転可能または摺動可能な足部のような１つ以上の支持フラップ（１５０）を含み、前記支持フラップ（１５０）は、前記クレードルが前記基部上に支持されないで立つ場合よりも、前記クレードルを前記基部に向かって急な角度で位置決めし、前記支持フラップは好ましくは、使用時には前記クレードルの後部分の下にて支持を提供し、前記支持フラップは好ましくは、不使用時には、たとえば前記クレードルの後壁部材（１４０）または下側の中といったように前記クレードル中に収容される、請求項１〜１４のいずれか１項に記載のクレードル。
【請求項１６】
前記クレードルは、前壁部材（１３０）と後壁部材（１４０）とによって共に接続される２つの平行な側部材（１２０）を含むハードシェル（１００）の形態にあるシェル構造を有し、代替的にはプレートの形態にある下側を有する、請求項１〜１５のいずれか１項に記載のクレードル。
【請求項１７】
前記クレードルは、好ましくは背もたれ上縁部（２４１）を有する背もたれ（２４０）と、好ましくは上側縁（２２１）を有する２つの内側部材（２２０）と、シート部（２３０）とを含むシート部（２００）と、好ましくは脚支持部（２３１）とを有する、請求項１６に記載のクレードル。
【請求項１８】
前記シート部（２００）は、織物を含む、好ましくは詰め物をされた、統合された硬化
材料または硬化部分を随意で有する部分的に自己支持するシートカバーを構成する、請求項１７に記載のクレードル。
【請求項１９】
前記シート部（２００）は、前記シェルの外側上部分への取り付けにより、好ましくは溝（１２３）および／もしくはフック／ボタン（１４１）のような固定手段により、または前記シート部の実質的に全円周部の周りのストレッチ素材のような弾性素材により、前記シェル（１００）の上縁部の周りにつり下げられる、請求項１７または１８に記載のクレードル。
【請求項２０】
前記クレードルは、その上後部に存在する、１つの下方向に方向付けされたフック手段（１２２）と、摺動可能なばね荷重要素、好ましくはバー形状の要素の形態にある２つの固定装置（３１０）とを含む、請求項１〜１９のいずれか１項に記載のクレードル。
【請求項２１】
前記クレードルは、従来の椅子、子供用シート、特にＴｒｉｐｐＴｒａｐｐ（登録商標）椅子の上への搭載のために好適である、請求項１〜２０のいずれか１項に記載のクレードル。
【請求項２２】
上端または上縁部を有する少なくとも１つの要素と下縁部を有する少なくとも１つの要素とを有する椅子の背を有する椅子にクレードルまたはシートを取り付けるための搭載装置であって、前記搭載装置は、取り外し可能または前記クレードルに永久的に固定され、前記搭載装置は、
前記クレードルが前記椅子の背の要素の上端、上部、または上縁部の上に掛けられることを可能にする１つ以上のフック手段と、
非動作位置から動作位置に移動されるよう構成される１つ以上のロック装置とを含み、前記非動作位置では、前記椅子に対する前記クレードルの移動が制限されず、前記動作位置では、前記ロック装置が、前記椅子の背の要素の少なくとも１つの下縁部に対して支持して前記クレードルを前記椅子にロックする、搭載装置。